(57)【要約】  アナログ及び／又はデジタル変調方式によって変調されたオーディオ信号を含む１又はそれ以上の無線周波数（ＲＦ）信号を受け取り、フルダイバーシティモード又はスイッチトダイバーシティモードで動作し、ＲＦ信号を復調し、アナログオーディオ信号及び合成デジタルオーディオ信号を出力することができる無線オーディオ受信機システム及び方法を提供する。このシステム及び方法は、受け取ったＲＦ信号をそれぞれのＲＦ信号処理経路にルーティングするように複数のダイバーシティアンテナを切り換える。デジタルパスバンド変調信号を復調してアナログオーディオ信号を生成し、また１又は複数のチャネルを有する合成デジタルオーディオ信号を生成することもできる。このシステム及び方法は、様々な変調方式を用いて変調された信号を復調することができる。再構成可能なコンピューティングコンポーネントを利用して、デジタルパスバンド変調信号を復調し、アナログオーディオ信号及び合成デジタルオーディオ信号を生成する。【選択図】図１
2016510968.tif 000002
【特許請求の範囲】
【請求項１】
無線オーディオ受信機システムであって、
（Ａ）アナログ変調方式又はデジタル変調方式を用いて変調されたオーディオ信号を各々が含む第１の無線周波数（ＲＦ）信号及び第２のＲＦ信号の一方又は両方を受け取るための第１のダイバーシティアンテナ及び第２のダイバーシティアンテナと、
（Ｂ）第１のＲＦ信号処理経路、第２のＲＦ信号処理経路、及びアンテナルーティングモジュールを含む、前記第１及び第２のダイバーシティアンテナと通信するＲＦアナログ信号処理モジュールと、
を備え、前記第１及び第２のＲＦ信号処理経路、及びアンテナルーティングモジュールは、前記第１及び第２のＲＦ信号の変調タイプと、フルダイバーシティモード又はスイッチトダイバーシティモードへの構成とを示すユーザ設定に基づいて、
前記ユーザ設定が、フルダイバーシティモードへの構成を示す場合、前記アンテナルーティングモジュールが、前記第１のＲＦ信号を前記第１のＲＦ信号処理経路及び前記第２のＲＦ信号処理経路にルーティングし、前記第１のＲＦ信号処理経路が、前記第１のＲＦ信号に基づいて第１のパスバンド変調信号を生成し、前記第２のＲＦ信号処理経路が、前記第１のＲＦ信号に基づいて第２のパスバンド変調信号を生成し、
前記ユーザ設定がスイッチトダイバーシティモードへの構成を示す場合、前記アンテナルーティングモジュールが、アンテナ切り換えアルゴリズムに基づいて、前記第１のダイバーシティアンテナと前記第２のダイバーシティアンテナとを切り換えて、前記第１及び第２のＲＦ信号を前記第１及び第２のＲＦ信号処理経路にそれぞれルーティングし、前記第１のＲＦ信号処理経路が、前記第１のＲＦ信号に基づいて第３のパスバンド変調信号を生成し、前記第２のＲＦ信号処理経路が、前記第２のＲＦ信号に基づいて第４のパスバンド変調信号を生成する、
ように構成され、前記無線オーディオ受信機システムは、
（Ｃ）前記ＲＦアナログ信号処理モジュールと通信し、前記ユーザ設定がフルダイバーシティモードへの構成を示す場合、前記第１のパスバンド変調信号をパスバンドサンプリングして第１のデジタルパスバンド変調信号を生成し、前記ユーザ設定がスイッチトダイバーシティモードへの構成を示す場合、前記第３のパスバンド変調信号をパスバンドサンプリングして前記第１のデジタルパスバンド変調信号を生成する第１のアナログ・デジタルコンバータ（ＡＤＣ）と、前記ＲＦアナログ信号処理モジュールと通信し、前記ユーザ設定がフルダイバーシティモードへの構成を示す場合、前記第２のパスバンド変調信号をパスバンドサンプリングして第２のデジタルパスバンド変調信号を生成し、前記ユーザ設定がスイッチトダイバーシティモードへの構成を示す場合、前記第４のパスバンド変調信号をパスバンドサンプリングして前記第２のデジタルパスバンド変調信号を生成する第２のＡＤＣと、
（Ｄ）前記第１のＡＤＣと通信し、前記ユーザ設定に基づいて前記第１のデジタルパスバンド変調信号を復調して第１のデジタルオーディオ信号を生成する第１のデジタル信号処理（ＤＳＰ）モジュールと、前記第２のＡＤＣと通信し、前記ユーザ設定に基づいて前記第２のデジタルパスバンド変調信号を復調して第２のデジタルオーディオ信号を生成する第２のＤＳＰモジュールと、
（Ｅ）前記第１のＤＳＰモジュールと通信し、前記第１のデジタルオーディオ信号から第１のアナログオーディオ信号を生成する第１のデジタル・アナログコンバータ（ＤＡＣ）と、前記第２のＤＳＰモジュールと通信し、前記第２のデジタルオーディオ信号から第２のアナログオーディオ信号を生成する第２のＤＡＣと、
をさらに備えることを特徴とする無線オーディオ受信機システム。
【請求項２】
前記第１のＲＦ信号処理経路は、前記第１のＲＦ信号から第１の増幅ＲＦ信号を生成するための第１の低ノイズ増幅器と、前記第１の増幅ＲＦ信号から第１の濾波増幅ＲＦ信号を生成するための第１のＲＦバンドパスフィルタとを含み、
前記第２のＲＦ信号処理経路は、前記第２のＲＦ信号から第２の増幅ＲＦ信号を生成するための第２の低ノイズ増幅器と、前記第２の増幅ＲＦ信号から第２の濾波増幅ＲＦ信号を生成するための第２のＲＦバンドパスフィルタとを含み、
前記アンテナルーティングモジュールは、
前記第１の濾波増幅ＲＦ信号を第１の複数の同じＲＦ信号に分割するための第１のＲＦスプリッタと、
前記第２の濾波増幅ＲＦ信号を第２の複数の同じＲＦ信号に分割するための第２のＲＦスプリッタと、
前記ユーザ設定がスイッチトダイバーシティモードへの構成を示す場合、前記アンテナ切り換えアルゴリズムに基づいて、前記第１の複数の同じＲＦ信号のうちの１つの信号と前記第２の複数の同じＲＦ信号のうちの１つの信号とを切り換えるための第１のＲＦスイッチと、
前記ユーザ設定がスイッチトダイバーシティモードへの構成を示す場合、前記アンテナ切り換えアルゴリズムに基づいて、前記第１の複数の同じＲＦ信号のうちの別の信号と前記第２の複数の同じＲＦ信号のうちの別の信号とを切り換えるための第２のＲＦスイッチと、
を含む、
請求項１に記載の無線オーディオ受信機システム。
【請求項３】
前記第１のＲＦ信号処理経路は、
前記第１のＲＦスイッチと通信し、前記第１の複数の同じＲＦ信号のうちの１つの信号又は前記第２の複数の同じＲＦ信号のうちの１つの信号から第１のイメージ除去ＲＦ信号を生成する第１の波長可変イメージ除去フィルタと、
前記第１の波長可変イメージ除去フィルタと通信し、第１の自動利得制御（ＡＧＣ）信号に基づいて、前記第１のイメージ除去ＲＦ信号から第１の減衰されたイメージ除去ＲＦ信号を生成する第１の可変減衰器と、
前記第１の可変減衰器と通信し、前記第１の減衰されたイメージ除去ＲＦ信号を第１の中間周波数（ＩＦ）信号に周波数変換する第１のミキサと、
をさらに含み、
前記第２のＲＦ信号処理経路は、
前記第２のＲＦスイッチと通信し、前記第１の複数の同じＲＦ信号のうちの別の信号又は前記第２の複数の同じＲＦ信号のうちの別の信号から第２のイメージ除去ＲＦ信号を生成する第２の波長可変イメージ除去フィルタと、
前記第２の波長可変イメージ除去フィルタと通信し、第２のＡＧＣ信号に基づいて、前記第２のイメージ除去ＲＦ信号から第２の減衰されたイメージ除去ＲＦ信号を生成する第２の可変減衰器と、
前記第２の可変減衰器と通信し、前記第２の減衰されたイメージ除去ＲＦ信号を第２のＩＦ信号に周波数変換する第２のミキサと、
をさらに含む、
請求項２に記載の無線オーディオ受信機システム。
【請求項４】
前記第１のＲＦ信号処理経路は、
前記第１のミキサと通信し、前記第１のＩＦ信号から第１の濾波ＩＦ信号を生成する第１のＩＦフィルタと、
前記第１のＩＦフィルタと通信し、前記ユーザ設定がフルダイバーシティモードへの構成を示す場合には、前記第１の濾波ＩＦ信号から前記第１のパスバンド変調信号を生成し、或いは前記ユーザ設定がスイッチトダイバーシティモードへの構成を示す場合には、前記第１の濾波ＩＦ信号から前記第３のパスバンド変調信号を生成する第１のＩＦ増幅器と、
をさらに含み、
前記第２のＲＦ信号処理経路は、
前記第２のミキサと通信し、前記第２のＩＦ信号から第２の濾波ＩＦ信号を生成する第２のＩＦフィルタと、
前記第２のＩＦフィルタと通信し、前記ユーザ設定がフルダイバーシティモードへの構成を示す場合には、前記第２の濾波ＩＦ信号から前記第２のパスバンド変調信号を生成し、或いは前記ユーザ設定がスイッチトダイバーシティモードへの構成を示す場合には、前記第２の濾波ＩＦ信号から前記第４のパスバンド変調信号を生成する第２のＩＦ増幅器と、
をさらに含む、
請求項３に記載の無線オーディオ受信機システム。
【請求項５】
前記第１及び第２のＩＦフィルタの各々は、狭帯域弾性表面波（ＳＡＷ）フィルタを含む、
請求項４に記載の無線オーディオ受信機システム。
【請求項６】
前記第１のＤＳＰモジュールは、
前記第１のデジタルパスバンド変調信号から、第１の同相信号、第１の直交信号及び前記第１のＡＧＣ信号を生成する第１のデジタルダウンコンバータと、
前記第１のデジタルダウンコンバータと通信し、各々が前記第１のＲＦ信号の変調タイプに基づいて前記第１の同相信号及び前記第１の直交信号を第１の複数の復調信号のうちの１つの信号に復調するとともに第１のアンテナ選択信号を生成する第１の複数の復調モジュールと、
前記第１の複数の復調モジュールと通信し、前記ユーザ設定に基づいて前記第１の複数の復調信号のうちの１つの信号から前記第１のデジタルオーディオ信号を出力する第１のマルチプレクサユニットと、
を含み、
前記第１のＲＦスイッチは、前記第１のアンテナ選択信号に基づいて、前記第１の複数の同じＲＦ信号のうちの１つの信号と、前記第２の複数の同じＲＦ信号のうちの１つの信号とを切り換え、
前記第２のＤＳＰモジュールは、
前記第２のデジタルパスバンド変調信号から、第２の同相信号、第２の直交信号及び前記第２のＡＧＣ信号を生成する第２のデジタルダウンコンバータと、
前記第２のデジタルダウンコンバータと通信し、前記ユーザ設定がフルダイバーシティモードへの構成を示す場合には前記第１のＲＦ信号の変調タイプに基づいて、及び前記ユーザ設定がスイッチトダイバーシティモードへの構成を示す場合には前記第２のＲＦ信号の変調タイプに基づいて、各々が前記第２の同相信号及び前記第２の直交信号を第２の複数の復調信号のうちの１つの信号に復調するとともに第２のアンテナ選択信号を生成する第２の複数の復調モジュールと、
前記第２の複数の復調モジュールと通信し、前記ユーザ設定に基づいて前記第２の複数の復調信号のうちの１つの信号から前記第２のデジタルオーディオ信号を出力する第２マルチプレクサユニットと、
を含み、
前記第２のＲＦスイッチは、前記第２のアンテナ選択信号に基づいて、前記第１の複数の同じＲＦ信号のうちの別の信号と、前記第２の複数の同じＲＦ信号のうちの別の信号とを切り換える、
請求項３に記載の無線オーディオ受信機システム。
【請求項７】
前記第１のＤＳＰモジュールは、
前記第１のデジタルパスバンド変調信号から、第１の同相信号、第１の直交信号及び前記第１のＡＧＣ信号を生成する第１のデジタルダウンコンバータと、
各々が前記第１の同相信号及び前記第１の直交信号を復調するためのコマンドを含む第１の複数のオペコードファイルを記憶する第１のメモリと、
前記第１のデジタルダウンコンバータ及び前記第１のメモリと通信し、第１のアンテナ選択信号を生成するとともに、前記第１のＲＦ信号の変調タイプに基づき、前記第１のメモリから読み出された前記第１の複数のオペコードファイルのうちの１つに従って、前記第１の同相信号及び前記第１の直交信号を前記第１のデジタルオーディオ信号に復調する第１のＤＳＰ処理エンジンと、
を含み、
前記第１のＲＦスイッチは、前記第１のアンテナ選択信号に基づいて、前記第１の複数の同じＲＦ信号のうちの１つの信号と、前記第２の複数の同じＲＦ信号のうちの１つの信号とを切り換え、
前記第２のＤＳＰモジュールは、
前記第２のデジタルパスバンド変調信号から、第２の同相信号、第２の直交信号及び前記第２のＡＧＣ信号を生成する第２のデジタルダウンコンバータと、
各々が前記第２の同相信号及び前記第２の直交信号を復調するためのコマンドを含む第２の複数のオペコードファイルを記憶する第２のメモリと、
前記第２のデジタルダウンコンバータ及び前記第２のメモリと通信し、第２のアンテナ選択信号を生成するとともに、前記ユーザ設定がフルダイバーシティモードへの構成を示す場合には前記第１のＲＦ信号の変調タイプに基づき、前記ユーザ設定がスイッチトダイバーシティモードへの構成を示す場合には前記第２のＲＦ信号の変調タイプに基づき、前記第２のメモリから読み出された前記第２の複数のオペコードファイルのうちの１つに従って、前記第２の同相信号及び前記第２の直交信号を前記第２のデジタルオーディオ信号に復調する第２のＤＳＰ処理エンジンと、
を含み、
前記第２のＲＦスイッチは、前記第２のアンテナ選択信号に基づいて、前記第１の複数の同じＲＦ信号のうちの別の信号と、前記第２の複数の同じＲＦ信号のうちの別の信号とを切り換える、
請求項３に記載の無線オーディオ受信機システム。
【請求項８】
前記合成デジタルオーディオ信号は、ＡＥＳ３規格に準拠する、
請求項１に記載の無線オーディオ受信機システム。
【請求項９】
前記合成デジタルオーディオ信号、ＤＣ電力及びデータ信号を同時に搬送するように適合されたケーブルに接続するように構成されたインターフェイスモジュールをさらに備え、該インターフェイスモジュールは、
前記第１及び第２のデジタルオーディオ信号の一方又は両方を含む前記合成デジタルオーディオ信号を生成して送信し、
前記ＤＣ電力を受け取って、前記ＲＦアナログ信号処理モジュール、前記第１及び第２のＡＤＣ、前記第１及び第２のＤＳＰモジュール、並びに前記第１及び第２のＤＡＣに供給し、
コマンド又は状態の一方又は両方を含む前記データ信号を送受信する、
ように構成される、
請求項１に記載の無線オーディオ受信機システム。
【請求項１０】
前記第１のＤＡＣと通信する第１のオーディオアナログ信号処理モジュールと、前記第２のＤＡＣと通信する第２のオーディオアナログ信号処理モジュールとをさらに備え、
前記第１のオーディオアナログ信号処理モジュールは、前記第１のアナログオーディオ信号から第１の処理済みアナログオーディオ信号を生成し、
前記第２のオーディオアナログ信号処理モジュールは、前記第２のアナログオーディオ信号から第２の処理済みアナログオーディオ信号を生成する、
請求項１に記載の無線オーディオ受信機システム。
【請求項１１】
アナログ変調方式又はデジタル変調方式を用いて変調されたオーディオ信号を各々が含む第１の無線周波数（ＲＦ）信号及び第２のＲＦ信号の一方又は両方を無線で受け取る方法であって、
（Ａ）前記第１及び第２のＲＦ信号の前記一方又は両方を受け取るステップと、
（Ｂ）前記第１及び第２のＲＦ信号の変調タイプと、第１のＲＦ信号処理経路及び第２のＲＦ信号処理経路のフルダイバーシティモード又はスイッチトダイバーシティモードへの構成とを示すユーザ設定を受け取るステップと、
（Ｃ）前記ユーザ設定がフルダイバーシティモードへの構成を示す場合、
前記第１のＲＦ信号を前記第１及び第２のＲＦ信号処理経路にルーティングするステップと、
前記第１のＲＦ信号に基づいて、前記第１のＲＦ信号処理経路を用いて第１のパスバンド変調信号を生成するステップと、
前記第１のＲＦ信号に基づいて、前記第２のＲＦ信号処理経路を用いて第２のパスバンド変調信号を生成するステップと、
前記第１のパスバンド変調信号をパスバンドサンプリングして第１のデジタルパスバンド変調信号を生成するステップと、
前記第２のパスバンド変調信号をパスバンドサンプリングして第２のデジタルパスバンド変調信号を生成するステップと、
（Ｄ）前記ユーザ設定がスイッチトダイバーシティモードへの構成を示す場合、
アンテナ切り換えアルゴリズムに基づいて、前記第１及び第２のダイバーシティアンテナを切り換えて前記第１及び第２のＲＦ信号を前記第１及び第２のＲＦ信号処理経路にそれぞれルーティングするステップと、
前記第１のＲＦ信号に基づいて、前記第１のＲＦ信号処理経路を用いて第３のパスバンド変調信号を生成するステップと、
前記第２のＲＦ信号に基づいて、前記第２のＲＦ信号処理経路を用いて第４のパスバンド変調信号を生成するステップと、
前記第３のパスバンド変調信号をパスバンドサンプリングして前記第１のデジタルパスバンド変調信号を生成するステップと、
前記第４のパスバンド変調信号をパスバンドサンプリングして前記第２のデジタルパスバンド変調信号を生成するステップと、
（Ｅ）前記ユーザ設定に基づいて、前記第１のデジタルパスバンド変調信号を復調して第１のデジタルオーディオ信号を生成するステップと、
（Ｆ）前記ユーザ設定に基づいて、前記第２のデジタルパスバンド変調信号を復調して第２のデジタルオーディオ信号を生成するステップと、
（Ｇ）前記第１のデジタルオーディオ信号から第１のアナログオーディオ信号を生成するステップと、
（Ｈ）前記第２のデジタルオーディオ信号から第２のアナログオーディオ信号を生成するステップと、
を含むことを特徴とする方法。
【請求項１２】
前記第１のパスバンド変調信号を生成するステップ、及び前記第３のパスバンド変調信号を生成するステップの各々は、
前記第１のＲＦ信号から第１の増幅ＲＦ信号を生成するステップと、
前記第１の増幅ＲＦ信号から第１の濾波増幅ＲＦ信号を生成するステップと、
前記第１の濾波増幅ＲＦ信号を第１の複数の同じＲＦ信号に分割するステップと、
を含み、
前記第２のパスバンド変調信号を生成するステップ、及び前記第４のパスバンド変調信号を生成するステップの各々は、
前記第２のＲＦ信号から第２の増幅ＲＦ信号を生成するステップと、
前記第２の増幅ＲＦ信号から第２の濾波増幅ＲＦ信号を生成するステップと、
前記第２の濾波増幅ＲＦ信号を第２の複数の同じＲＦ信号に分割するステップと、
を含み、前記方法は、
前記ユーザ設定が、スイッチトダイバーシティモードへの構成を示す場合、
前記アンテナ切り換えアルゴリズムに基づいて、前記第１の複数の同じＲＦ信号のうちの１つの信号と、前記第２の複数の同じＲＦ信号のうちの１つの信号とを切り換えるステップと、
前記アンテナ切り換えアルゴリズムに基づいて、前記第１の複数の同じＲＦ信号のうちの別の信号と、前記第２の複数の同じＲＦ信号のうちの別の信号とを切り換えるステップと、
を含む、
請求項１１に記載の方法。
【請求項１３】
前記第１のパスバンド変調信号を生成するステップ、及び前記第３のパスバンド変調信号を生成するステップの各々は、
前記第１の複数の同じＲＦ信号のうちの１つの信号、又は前記第２の複数の同じＲＦ信号のうちの１つの信号から、第１のイメージ除去ＲＦ信号を生成するステップと、
第１の自動利得制御（ＡＧＣ）信号に基づいて、前記第１のイメージ除去ＲＦ信号から第１の減衰されたイメージ除去ＲＦ信号を生成するステップと、
前記第１の減衰されたイメージ除去ＲＦ信号を第１の中間周波数（ＩＦ）信号に周波数変換するステップと、
を含み、
前記第２のパスバンド変調信号を生成するステップ、及び前記第４のパスバンド変調信号を生成するステップの各々は、
前記第１の複数の同じＲＦ信号のうちの別の信号、又は前記第２の複数の同じＲＦ信号のうちの別の信号から、第２のイメージ除去ＲＦ信号を生成するステップと、
第２のＡＧＣ信号に基づいて、前記第２のイメージ除去ＲＦ信号から第２の減衰されたイメージ除去ＲＦ信号を生成するステップと、
前記第２の減衰されたイメージ除去ＲＦ信号を第２のＩＦ信号に周波数変換するステップと、
をさらに含む、
請求項１２に記載の方法。
【請求項１４】
前記第１のパスバンド変調信号を生成するステップ、及び前記第３のパスバンド変調信号を生成するステップの各々は、前記第１のＩＦ信号から第１の濾波ＩＦ信号を生成するステップをさらに含み、
前記第２のパスバンド変調信号を生成するステップ、及び前記第４のパスバンド変調信号を生成するステップの各々は、前記第２のＩＦ信号から第２の濾波ＩＦ信号を生成するステップをさらに含み、前記方法は、
前記ユーザ設定が、フルダイバーシティモードへの構成を示す場合、
前記第１の濾波ＩＦ信号から前記第１のパスバンド変調信号を生成するステップと、
前記第２の濾波ＩＦ信号から前記第２のパスバンド変調信号を生成するステップと、
前記ユーザ設定が、スイッチトダイバーシティモードへの構成を示す場合、
前記第１の濾波ＩＦ信号から前記第３のパスバンド変調信号を生成するステップと、
前記第２の濾波ＩＦ信号から前記第４のパスバンド変調信号を生成するステップと、
をさらに含む、
請求項１３に記載の方法。
【請求項１５】
前記第１の濾波ＩＦ信号を生成するステップは、第１の狭帯域弾性表面波（ＳＡＷ）フィルタを用いて前記第１のＩＦ信号から前記第１の濾波ＩＦ信号を生成するステップを含み、
前記第２の濾波ＩＦ信号を生成するステップは、第２の狭帯域ＳＡＷフィルタを用いて前記第２のＩＦ信号から前記第２の濾波ＩＦ信号を生成するステップを含む、
請求項１４に記載の方法。
【請求項１６】
前記第１のデジタルパスバンド変調信号を復調するステップは、
前記第１のデジタルパスバンド変調信号から、第１の同相信号、第１の直交信号及び前記第１のＡＧＣ信号を生成するステップと、
前記第１のＲＦ信号の変調タイプに基づいて、前記第１の同相信号及び前記第１の直交信号を第１の復調信号に復調するステップと、
前記ユーザ設定に基づいて、第１のアンテナ選択信号を生成するとともに、前記第１の復調信号から前記第１のデジタルオーディオ信号を出力するステップと、
を含み、
前記第１の複数の同じＲＦ信号のうちの１つの信号と前記第２の複数の同じＲＦ信号のうちの１つの信号とを切り換えるステップは、前記第１のアンテナ選択信号に基づいて、前記第１の複数の同じＲＦ信号のうちの１つの信号と前記第２の複数の同じＲＦ信号のうちの１つの信号とを切り換えるステップを含み、
前記第２のデジタルパスバンド変調信号を復調するステップは、
前記第２のデジタルパスバンド変調信号から、第２の同相信号、第２の直交信号及び前記第２のＡＧＣ信号を生成するステップと、
前記ユーザ設定がフルダイバーシティモードへの構成を示す場合には、前記第１のＲＦ信号の変調タイプに基づいて、及び前記ユーザ設定がスイッチトダイバーシティモードへの構成を示す場合には、前記第２のＲＦ信号の変調タイプに基づいて、前記第２の同相信号及び前記第２の直交信号を第２の復調信号に復調するステップと、
前記ユーザ設定に基づいて、第２のアンテナ選択信号を生成するとともに、前記第２の復調信号から前記第２のデジタルオーディオ信号を出力するステップと、
を含み、
前記第１の複数の同じＲＦ信号のうちの別の信号と前記第２の複数の同じＲＦ信号のうちの別の信号とを切り換えるステップは、前記第２のアンテナ選択信号に基づいて、前記第１の複数の同じＲＦ信号のうちの別の信号と前記第２の複数の同じＲＦ信号のうちの別の信号とを切り換えるステップを含む、
請求項１３に記載の方法。
【請求項１７】
前記第１のデジタルパスバンド変調信号を復調するステップは、
前記第１のデジタルパスバンド変調信号から、第１の同相信号、第１の直交信号及び前記第１のＡＧＣ信号を生成するステップと、
第１のメモリに記憶されている、各々が前記第１の同相信号及び前記第１の直交信号を復調するためのコマンドを含む第１の複数のオペコードファイルのうちの、前記第１のＲＦ信号の変調タイプに基づいて前記第１のメモリから読み出された１つのオペコードファイルに基づいて、第１のアンテナ選択信号を生成するとともに、前記第１の同相信号及び前記第１の直交信号を前記第１のデジタルオーディオ信号に復調するステップと、
を含み、
前記第１の複数の同じＲＦ信号のうちの１つの信号と前記第２の複数の同じＲＦ信号のうちの１つの信号とを切り換えるステップは、前記第１のアンテナ選択信号に基づいて、前記第１の複数の同じＲＦ信号のうちの１つの信号と前記第２の複数の同じＲＦ信号のうちの１つの信号とを切り換えるステップを含み、
前記第２のデジタルパスバンド変調信号を復調するステップは、
前記第２のデジタルパスバンド変調信号から、第２の同相信号、第２の直交信号及び前記第２のＡＧＣ信号を生成するステップと、
第２のメモリに記憶されている、各々が前記第２の同相信号及び前記第２の直交信号を復調するためのコマンドを含む第２の複数のオペコードファイルのうちの、前記ユーザ設定がフルダイバーシティモードへの構成を示す場合には前記第１のＲＦ信号の変調タイプに基づいて、前記ユーザ設定がスイッチトダイバーシティモードへの構成を示す場合には前記第２のＲＦ信号の変調タイプに基づいて前記第２のメモリから読み出された１つのオペコードファイルに基づいて、第２のアンテナ選択信号を生成するとともに、前記第２の同相信号及び前記第２の直交信号を前記第２のデジタルオーディオ信号に復調するステップと、
を含み、
前記第１の複数の同じＲＦ信号のうちの別の信号と前記第２の複数の同じＲＦ信号のうちの別の信号とを切り換えるステップは、前記第２のアンテナ選択信号に基づいて、前記第１の複数の同じＲＦ信号のうちの別の信号と前記第２の複数の同じＲＦ信号のうちの別の信号とを切り換えるステップを含む、
請求項１３に記載の方法。
【請求項１８】
前記合成デジタルオーディオ信号は、ＡＥＳ３規格に準拠する、
請求項１１に記載の方法。
【請求項１９】
前記第１及び第２のデジタルオーディオ信号の一方又は両方を含む前記合成デジタルオーディオ信号を生成して送信するステップと、ＤＣ電力を受け取るステップと、前記合成デジタルオーディオ信号、前記ＤＣ電力及び前記データ信号を同時に搬送するように適合されたケーブルに接続するように構成されたインターフェイスジャック上でデータ信号を送受信するステップとをさらに含み、前記データ信号は、コマンド又は状態の一方又は両方を含む、
請求項１１に記載の方法。
【請求項２０】
前記第１のアナログオーディオ信号から第１の処理済みアナログオーディオ信号を生成するステップと、
前記第２のアナログオーディオ信号から第２の処理済みアナログオーディオ信号を生成するステップと、
をさらに含む請求項１１に記載の方法。
【発明の詳細な説明】
【技術分野】
【０００１】
〔関連出願との相互参照〕
本出願は、２０１３年３月１５日に出願された米国仮特許出願第６１／８００，３６４号の利益を主張する、２０１３年５月２日に出願された米国非仮特許出願第１３／８７５，６７９号の利益を主張するものであり、これらの仮特許出願の内容はその全体が引用により本明細書に組み入れられる。
【０００２】
本出願は、一般に無線オーディオ受信機システム及び方法に関する。具体的には、本出願は、アナログ及び／又はデジタル変調方式によって変調されたオーディオ信号を含む１又はそれ以上の無線周波数（ＲＦ）信号を受け取り、フルダイバーシティモード又はスイッチトダイバーシティモードで動作し、ＲＦ信号を復調し、アナログオーディオ信号及び合成デジタルオーディオ信号を出力することができる無線オーディオ受信機システム及び方法に関する。
【背景技術】
【０００３】
オーディオ制作は、マイク、無線オーディオ送信機、無線オーディオ受信機、レコーダ、及び／又はテレビ番組、ニュース放送、映画、ライブイベント及びその他のタイプの製作物などの製作物の音を取り込んで記録するためのミキサを含む多くのコンポーネントの使用を伴うことができる。通常、マイクは製作物の音を取り込み、この音は、マイク及び／又は無線オーディオ送信機から無線オーディオ受信機に無線で送信される。無線オーディオ受信機は、クルーメンバによる音の記録及び／又はミキシングのための、プロダクションサウンドミキサなどのレコーダ及び／又はミキサに接続することができる。レコーダ及び／又はミキサには、クルーメンバがオーディオレベル及びタイムコードをモニタできるように、コンピュータ及びスマートフォンなどの電子装置を接続することができる。
【０００４】
通常、クルーメンバは、無線オーディオ受信機、レコーダ、ミキサ、及びこれらのコンポーネントに給電するためのバッテリが入ったバッグを携行する。製作物の音を取り込む各マイク及び／又は無線オーディオ送信機に対応する複数の無線オーディオ受信機を有することも珍しくはない。通常、各無線オーディオ受信機は、レコーダにオーディオ信号を送信するためのケーブル、及びバッテリから電力を受け取るための別のケーブルを有する。バッテリからレコーダ及びミキサに給電するためのケーブルも存在する。ケーブルの本数が多いことにより、コンポーネントのセットアップ及び接続に時間がかかり、（例えば、欠陥ケーブル、接続不良、ケーブルの故障などに起因して）問題が生じる可能性が増し、バッグの重量がクルーメンバにとって不快なまでに重くなる可能性がある。無線オーディオ受信機は、空間の節約、電力及び同期目的で無線オーディオ受信機をビデオカメラに挿入できるスロットタイプとすることもできる。
【０００５】
既存の無線オーディオ受信機には、アナログ変調信号しか復調できないものもあれば、デジタル変調信号しか復調できないものもある。一方で、既存の無線オーディオ受信機は、アナログ変調信号と別個のデジタル変調信号とを同時に復調することができず、及び／又は特定の変調信号を受信及び復調から除外する。さらに、既存の無線オーディオ受信機には、１又は複数のＲＦ信号を受信できるものもあるが、これらの受信機は、複数のＲＦ信号ではなくたった１つのＲＦ信号しか受信しない場合、通常はダイバーシティ目的で複数のアンテナを利用することができない。これらの受信機は、１つのＲＦ信号を受け取るために１つのアンテナしか利用しない。
【先行技術文献】
【特許文献】
【０００６】
【特許文献１】米国特許第６，２９６，５６５号明細書
【特許文献２】米国特許第６，８７１，０５４号明細書
【発明の概要】
【発明が解決しようとする課題】
【０００７】
従って、これらの問題に対処するシステム及び方法に可能性がある。具体的には、アナログ及び／又はデジタル変調方式によって変調されたオーディオ信号を含む１又はそれ以上のＲＦ信号を受け取り、フルダイバーシティモード又はスイッチトダイバーシティモードで動作し、ＲＦ信号を復調し、アナログオーディオ信号及び合成デジタルオーディオ信号を出力することができる無線オーディオ受信機システム及び方法に可能性がある。
【課題を解決するための手段】
【０００８】
本発明は、とりわけ、（１）複数のダイバーシティアンテナを利用して、アナログ変調方式及び／又はデジタル変調方式を用いて変調されたオーディオ信号を含む１又はそれ以上のＲＦ信号を受け取り、（２）チャネル数、ＲＦ信号の変調タイプ、及び／又はフルダイバーシティモード又はスイッチトダイバーシティモードへの構成を示すユーザ設定に応じて、フルダイバーシティ又はスイッチトダイバーシティモードで動作し、（３）スイッチトダイバーシティモードに構成されている場合、複数のＲＦ信号をそれぞれのＲＦ信号処理経路にルーティングするようにアンテナ間の切り換えを行い、（４）デジタルパスバンド変調信号を復調して、アナログオーディオ信号、及び１又は複数のチャネルを有する合成デジタルオーディオ信号を生成するように設計されたシステム及び方法を提供することによって上述の問題点を解決することを目的とする。
【０００９】
ある実施形態では、無線オーディオ受信機システムが、第１のＲＦ信号及び第２のＲＦ信号の一方又は両方を受け取るための第１及び第２のダイバーシティアンテナを含むことができる。第１及び第２のＲＦ信号の各々は、アナログ変調方式又はデジタル変調方式を用いて変調されたオーディオ信号を含むことができる。ＲＦアナログ信号処理モジュールは、第１のＲＦ信号処理経路、第２のＲＦ信号処理経路、及びアンテナルーティングモジュールを含むことができる。ユーザ設定は、第１及び第２のＲＦ信号の変調タイプ、並びにフルダイバーシティモード又はスイッチトダイバーシティモードへの構成を示すことができる。ユーザ設定がフルダイバーシティモードへの構成を示す場合、アンテナルーティングモジュールは、第１のＲＦ信号を第１及び第２のＲＦ信号処理経路にルーティングすることができる。この場合、第１のＲＦ信号処理経路は、第１のＲＦ信号に基づいて第１のパスバンド変調信号を生成することができ、第２のＲＦ信号処理経路は、第１のＲＦ信号に基づいて第２のパスバンド変調信号を生成することができる。ユーザ設定がスイッチトダイバーシティモードへの構成を示す場合、アンテナルーティングモジュールは、アンテナ切り換えアルゴリズムに基づき、第１のダイバーシティアンテナと第２のダイバーシティアンテナを切り換えて、第１及び第２のＲＦ信号をそれぞれ第１及び第２のＲＦ信号処理経路にルーティングすることができる。この場合、第１のＲＦ信号処理経路は、第１のＲＦ信号に基づいて第３のパスバンド変調信号を生成することができ、第２のＲＦ信号処理経路は、第２のＲＦ信号に基づいて第４のパスバンド変調信号を生成することができる。
【００１０】
第１のアナログ・デジタルコンバータ（ＡＤＣ）は、フルダイバーシティモードの場合、第１のパスバンド変調信号をパスバンドサンプリングして第１のデジタルパスバンド変調信号を生成することができる。第１のＡＤＣは、スイッチトダイバーシティモードの場合、第３のパスバンド変調信号をパスバンドサンプリングして第１のデジタルパスバンド変調信号を生成することができる。第２のＡＤＣは、フルダイバーシティモードの場合、第２のパスバンド変調信号をパスバンドサンプリングして第２のデジタルパスバンド変調信号を生成することができる。第２のＡＤＣは、スイッチトダイバーシティモードの場合、第４のパスバンド変調信号をパスバンドサンプリングして第２のデジタルパスバンド変調信号を生成することができる。第１のデジタル信号処理（ＤＳＰ）モジュールは、ユーザ設定に基づいて第１のデジタルパスバンド変調信号を復調して第１のデジタルオーディオ信号を生成することができ、第２のＤＳＰモジュールは、ユーザ設定に基づいて第２のデジタルパスバンド変調信号を復調して第２のデジタルオーディオ信号を生成することができる。第１及び第２のデジタル・アナログコンバータ（ＤＡＣ）は、第１及び第２のデジタルオーディオ信号からそれぞれ第１及び第２のアナログオーディオ信号を生成することができる。
【００１１】
別の実施形態では、第１のＲＦ信号及び第２のＲＦ信号の一方又は両方を無線で受け取る方法が、第１及び第２のＲＦ信号の一方又は両方を受け取るステップを含む。第１及び第２のＲＦ信号の各々は、アナログ変調方式又はデジタル変調方式を用いて変調されたオーディオ信号を含むことができる。第１及び第２のＲＦ信号の変調タイプ、並びに第１のＲＦ信号処理経路及び第２のＲＦ信号処理経路のフルダイバーシティモード又はスイッチトダイバーシティモードへの構成を示すユーザ設定を受け取ることができる。ユーザ設定がフルダイバーシティモードへの構成を示す場合、第１のＲＦ信号を第１及び第２のＲＦ信号処理経路にルーティングすることができ、第１のＲＦ信号処理経路では、第１のＲＦ信号に基づいて第１のパスバンド変調信号を生成することができ、第２のＲＦ信号処理経路では、第１のＲＦ信号に基づいて第２のパスバンド変調信号を生成することができる。ユーザ設定がスイッチトダイバーシティモードへの構成を示す場合、アンテナ切り換えアルゴリズムに基づき、第１のダイバーシティアンテナと第２のダイバーシティアンテナを切り換えて、第１及び第２のＲＦ信号をそれぞれ第１及び第２のＲＦ信号処理経路にルーティングすることができる。この場合、第１のＲＦ信号処理経路では、第１のＲＦ信号に基づいて第３のパスバンド変調信号を生成することができ、第２のＲＦ信号処理経路では、第２のＲＦ信号に基づいて第４のパスバンド変調信号を生成することができる。
【００１２】
フルダイバーシティモードの場合、第１のパスバンド変調信号をパスバンドサンプリングして第１のデジタルパスバンド変調信号を生成することができ、第２のパスバンド変調信号をパスバンドサンプリングして第２のデジタルパスバンド変調信号を生成することができる。スイッチトダイバーシティモードの場合、第３のパスバンド変調信号をパスバンドサンプリングして第１のデジタルパスバンド変調信号を生成することができ、第４のパスバンド変調信号をパスバンドサンプリングして第２のデジタルパスバンド変調信号を生成することができる。ユーザ設定に基づいて第１のデジタルパスバンド変調信号を復調して第１のデジタルオーディオ信号を生成することができる。ユーザ設定に基づいて第２のデジタルパスバンド変調信号を復調して第２のデジタルオーディオ信号を生成することができる。この第１及び第２のデジタルオーディオ信号から、それぞれ第１及び第２のアナログオーディオ信号を生成することができる。
【００１３】
これらの及びその他の実施形態、並びに様々な置換及び態様は、本発明の原理を使用できる様々な方法を示す例示的な実施形態を記載する以下の詳細な説明及び添付図面から明らかになり、さらに十分に理解されるであろう。
【図面の簡単な説明】
【００１４】
【図１】いくつかの実施形態による、無線オーディオ受信機システムのブロック図である。
【図２】いくつかの実施形態による、図１の無線オーディオ受信機システムのＲＦアナログ信号処理モジュールのブロック図である。
【図３】いくつかの実施形態による、図２のＲＦアナログ信号処理モジュールのアンテナルーティングモジュールのブロック図である。
【図４】いくつかの実施形態による、図１の無線オーディオ受信機システムのデジタル信号処理モジュールの実施形態のブロック図である。
【図５】いくつかの実施形態による、図１の無線オーディオ受信機システムのデジタル信号処理モジュールの別の実施形態のブロック図である。
【図６】いくつかの実施形態による、図１のシステムを用いてＲＦ信号を無線で受け取る動作を示すフロー図である。
【図７Ａ】いくつかの実施形態による、図６の動作に関連してパスバンド変調信号を生成する動作を示すフロー図である。
【図７Ｂ】いくつかの実施形態による、図６の動作に関連してパスバンド変調信号を生成する動作を示すフロー図である。
【図８Ａ】いくつかの実施形態による、図６の動作に関連してデジタルパスバンド変調信号を復調してデジタルオーディオ信号を生成する動作の実施形態を示すフロー図である。
【図８Ｂ】いくつかの実施形態による、図６の動作に関連してデジタルパスバンド変調信号を復調してデジタルオーディオ信号を生成する動作の実施形態を示すフロー図である。
【図９Ａ】いくつかの実施形態による、図６の動作に関連してデジタルパスバンド変調信号を復調してデジタルオーディオ信号を生成する動作の別の実施形態を示すフロー図である。
【図９Ｂ】いくつかの実施形態による、図６の動作に関連してデジタルパスバンド変調信号を復調してデジタルオーディオ信号を生成する動作の別の実施形態を示すフロー図である。
【発明を実施するための形態】
【００１５】
以下の説明は、本発明の原理に従う本発明の１又はそれ以上の特定の実施形態について説明し、図示し、例示するものである。この説明は、本明細書で説明する実施形態に本発明を限定するためではなく、むしろ当業者が本発明の原理を理解した上でこれらの原理を適用し、本明細書で説明する実施形態のみならず、これらの原理に基づいて想起される他の実施形態も実施できるように、本発明の原理の説明及び教示のために行うものである。本発明の範囲は、文言上、又は均等論の下で添付の特許請求の範囲に含まれる可能性のある全ての実施形態を対象とすることが意図されている。
【００１６】
なお、説明及び図面では、同じ又は実質的に同様の要素には同じ参照数字を付している。しかしながら、例えば異なる数字を付した方が説明が明確になる場合には、これらの要素に異なる数字を付すこともある。また、本明細書に示す図面は必ずしも縮尺通りではなく、場合によっては、特定の特徴をより明確に示すために比率を誇張していることもある。このような表示及び作図手法は、必ずしも根底にある本質的な目的に関与するものではない。上述したように、本明細書は、本明細書で教示され当業者に理解される本発明の原理に従って全体として受け取られ解釈されるように意図されている。
【００１７】
図１は、アナログ及び／又はデジタル変調方式によって変調されたオーディオ信号を含む１又はそれ以上の無線周波数（ＲＦ）信号を受け取り、フルダイバーシティモード又はスイッチトダイバーシティモードで動作し、ＲＦ信号を復調し、アナログオーディオ信号及び合成デジタルオーディオ信号を出力するための無線オーディオ受信機システム１００のブロック図である。システム１００は、様々な変調方式を用いて変調されたオーディオ信号を復調するために、ＲＦ信号をフレキシブルにルーティングするための複数の信号処理経路を含むことができる。さらに、システム１００は、より多様な変調タイプを用いて変調された信号を復調できるように、ＲＦ信号から生じたアナログパスバンド変調信号をデジタル化することができる。具体的には、アナログパスバンド変調信号を、システム１００の複素ベースバンド信号ではなく実際のパスバンド信号としてサンプリングすることができる。複素ベースバンド信号のサンプリングは、アナログ回路でのミスマッチに起因して特定の変調タイプで性能の劣化をもたらす恐れがある。システム１００は、デジタル信号処理モジュール１０８内に、ＲＦ信号のデジタル版を復調するための再構成可能なコンピューティングコンポーネントをさらに含むことができる。このようにして、システム１００は、アナログ変調信号とデジタル変調信号を同時に復調することができる。さらに、システム１００は、フルダイバーシティモードで１つのＲＦ信号を受け取る場合、両方のアンテナをダイバーシティ目的で最適に利用することができる。
【００１８】
ＲＦ信号は、例えば製作物の音を取り込んだ無線オーディオ送信機及び／又はマイクから受け取ることができる。具体的には、システム１００は、２つのダイバーシティアンテナ１０２と２つの並列な信号処理経路とを利用することにより、２つの別個のＲＦ信号を受け取るためのデュアル受信機として、或いは１つのＲＦ信号を受け取るためのシングル受信機として構成することができる。複数のダイバーシティアンテナ１０２を利用することにより、（単複の）ＲＦ信号のマルチパス伝搬の影響を最小限に抑えることができる。システム１００は、ＲＦ信号の変調タイプと、システム１００がフルダイバーシティモード（１つのＲＦ信号を受け取っている場合）にあるか、それともスイッチトダイバーシティモード（２つの異なるＲＦ信号を受け取っている場合）にあるかを示すユーザ設定を受け取ることができる。いくつかの実施形態では、ユーザ設定が、受け取られるＲＦ信号の数を示すことができ、この信号数から間接的にモード（フルダイバーシティ又はスイッチトダイバーシティ）を設定することができる。ユーザ設定は、例えばユーザが様々な構成設定を設定できるようにするための、システム１００によって提供される構成メニューを通じて設定することができる。いくつかの実施形態では、システム１００が、ＲＦ信号の変調タイプを自動的に感知することができる。他の実施形態では、コンポーネント間で同じ周波数が調整されて、変調タイプ及びＲＦ信号の数が設定されるように、システム１００と対応する無線オーディオ送信機とを同期させることができる。例えば、ユーザは、各コンポーネントの赤外線同期ポートを物理的に整列させて同期ボタンを押すことにより、システム１００と対応する無線オーディオ送信機とを同期させておくことができる。
【００１９】
システム１００は、デュアル受信機として構成された場合、ダイバーシティアンテナ１０２の各々が２つのＲＦ信号を受信できるようにスイッチトダイバーシティモードに入ることができる。例えば、２つのＲＦ信号の各々が、帯域制限された周波数分割信号の場合がある。両ダイバーシティアンテナ１０２は、これらのＲＦ信号の各々を受け取ることができるが、いずれの時点でも一方のダイバーシティアンテナ１０２のみが特定の信号処理経路に接続される。具体的には、特定のＲＦ信号が常に特定の信号処理経路にルーティングされるように、独立したアンテナ切り換えアルゴリズムが正しいダイバーシティアンテナ１０２を選択することができる。一例では、同じダイバーシティアンテナ１０２で両方のＲＦ信号を受信できるが、各個々のＲＦ信号は適切な信号処理経路にルーティングされる。ダイバーシティアンテナ１０２の切り換えは、ＲＦ信号のダイバーシティ受信を最適化するようにアンテナ切り換えアルゴリズムによって制御することができる。アンテナ切り換えアルゴリズムは、それぞれのＲＦ信号がシステム１００内の並列なアナログ信号処理経路上で、例えば受け取った信号メトリックに基づいて確実に処理されるようにすることができる。
【００２０】
システム１００は、シングル受信機として構成された場合、１つのＲＦ信号が両ダイバーシティアンテナ１０２によって受け取られるようにフルダイバーシティモードに入ることができる。具体的には、各ダイバーシティアンテナ１０２が同じＲＦ信号を受信し、システム１００内の並列なアナログ信号処理経路で別個に処理し、デジタル信号処理モジュール内などで合成する。この場合、アンテナ切り換えアルゴリズムは、一方のダイバーシティアンテナ１０２を一方の信号処理経路に接続し、他方のダイバーシティアンテナ１０２を他方の信号処理経路に接続することができる。
【００２１】
上述したように、ダイバーシティアンテナ１０２は、各々が変調オーディオ信号を含む１又はそれ以上のＲＦ信号を受け取ることができる。ダイバーシティアンテナ１０２は、例えば全方向性アンテナ又は単方向性アンテナとすることができる。ＲＦ信号に含まれるオーディオ信号は、アナログ変調方式及び／又はデジタル変調方式を用いて変調することができる。アナログ変調方式は、振幅変調、周波数変調、位相変調、専用アナログ変調、及び／又はその他の方式を含むことができる。デジタル変調方式は、位相シフトキーイング、周波数シフトキーイング、振幅シフトキーイング、直交振幅変調、専用デジタル変調、及び／又はその他の方式を含むことができる。
【００２２】
システム１００内のＲＦアナログ信号処理モジュール１０４は、ダイバーシティアンテナ１０２からＲＦ信号を受け取り、このＲＦ信号に基づいてパスバンド変調信号を生成することができる。これらのＲＦ信号は、例えば４７０ＭＨｚ〜８００ＭＨｚの周波数帯域、及び／又はその他の周波数帯域のものとすることができる。パスバンド変調信号は、例えばモジュール１０４によって２４６ＭＨｚなどの中間周波数（ＩＦ）にシフトすることができる。他の好適なＩＦを利用することもできる。モジュール１０４は、受け取ったＲＦ信号を処理するための２つの並列なＲＦ信号処理経路と、システム１００がフルダイバーシティモードであるか、それともスイッチトダイバーシティモードであるかに応じてＲＦ信号を処理できるようにルーティングするためのアンテナルーティングモジュールとを含むことができる。フルダイバーシティモードでは、ＲＦ信号処理経路が、受け取った１つのＲＦ信号に基づいて２つのパスバンド変調信号を生成することができる。スイッチトダイバーシティモードでは、ＲＦ信号処理経路が、受け取った２つのＲＦ信号にそれぞれ基づいて２つのパスバンド変調信号を生成することができる。モジュール１０４は、ＤＳＰモジュール１０８からアンテナ選択信号を受け取ってアンテナルーティングモジュール内のスイッチを制御することができる。このアンテナ選択信号は、ＤＳＰモジュール１０８がアンテナ切り換えアルゴリズムに基づいて生成することができる。モジュール１０４は、ＤＳＰモジュール１０８から自動利得制御（ＡＧＣ）信号を受け取り、必要に応じて可変減衰器を用いてモジュール１０４内のアナログ信号の利得を調整することもできる。ＲＦアナログ信号処理モジュール１０４のさらなる詳細については、以下で図２及び図３に関連して説明する。
【００２３】
アナログパスバンド変調信号は、アナログ・デジタルコンバータ（ＡＤＣ）１０６によってデジタルパスバンド変調信号に変換することができる。ＡＤＣ１０６は、アナログパスバンド変調信号をパスバンドサンプリングしてデジタルパスバンド変調信号を生成することができる。具体的には、ＡＤＣ１０６は、（ＩＦの）アナログパスバンド変調信号を、例えば毎秒６４メガサンプルのサンプリングレート（ＭＳＰＳ）でサンプリングすることができる。他の好適なサンプルレートを利用することもできる。（２４６ＭＨｚのＩＦの）アナログパスバンド変調信号の６４ＭＳＰＳでのサンプリング例では、アナログパスバンド変調信号をオーバサンプリングして解像度を高め、ノイズを低減することができる。
【００２４】
ＤＳＰモジュール１０８は、デジタルパスバンド変調信号を受け取り、これを復調して２つのデジタルオーディオ信号を生成することができる。ＤＳＰモジュールは、ＲＦアナログ信号処理モジュール１０４で使用するためのアンテナ選択信号及びＡＧＣ信号を生成することもできる。システム１００がフルダイバーシティモードである場合、ＤＳＰモジュール１０８は、ダイバーシティアンテナ１０２において受け取られるＲＦ信号のダイバーシティ効果を考慮するように互いに通信してデジタルオーディオ信号を合成し、加算し、及び／又は別様に処理して単一のデジタルオーディオ信号を生成することができる。いくつかの実施形態では、ＤＳＰモジュール１０８が、ダイバーシティ効果を考慮するように、例えば復調前にデジタルパスバンド変調信号を処理することができる。
【００２５】
インターフェイスモジュール１１４は、２つのチャネルなどの２つのデジタルオーディオ信号を含む合成デジタルオーディオ信号を生成することができる。（受け取ったＲＦ信号が１つの）フルダイバーシティモードの場合、この合成オーディオ信号は、１チャネルなどの１つのデジタルオーディオ信号で構成することができる。インターフェイスモジュール１１４は、それぞれのＤＳＰモジュール１０８からデジタルオーディオ信号を受け取ることができる。この合成デジタルオーディオ信号は、例えばオーディオ技術学会ＡＥＳ３規格に従うことができる。ＡＥＳ３規格は、最大９６ＫＨｚ、２４ビットのステレオオーディオに対応できるセルフクロッキングインターフェイスを規定する。いくつかの実施形態では、この合成デジタルオーディオ信号を、４８ｋＨｚ、２４ビットのステレオオーディオとすることができる。他の実施形態では、合成デジタルオーディオ信号が異なるサンプリングレートを有することができ、異なるビット数で符号化することができ、及び／又はモノオーディオを有することができる。この合成デジタルオーディオ信号には、他の好適な規格を利用することもできる。合成デジタルオーディオ信号は、例えばＸＬＲコネクタ出力上で、（後述する）インターフェイスモジュール１１４に接続されたケーブルを通じて、或いは他の好適なタイプの出力上で出力することができる。
【００２６】
１つの実施形態では、ＤＳＰモジュール１０８の各々が、特定の変調方式を用いて変調された信号を各々が復調するように適合された並列な復調モジュールを含むことができる。デジタルオーディオ信号は、ＲＦ信号の変調タイプ及びダイバーシティ構成を示すユーザ設定に基づいて、マルチプレクサユニットを通じて出力されるように選択することができる。この実施形態のさらなる詳細については、以下で図４に関連して説明する。別の実施形態では、ＤＳＰモジュール１０８の各々が、メモリに記憶されているオペコードファイルのコマンドに従って信号を復調するように適合されたＤＳＰ処理エンジンを含むことができる。このオペコードファイルの各々は、特定の変調方式を用いて変調された信号の復調に固有のものとすることができる。デジタルオーディオ信号は、ＲＦ信号の変調タイプ及びダイバーシティ構成を示すユーザ設定に基づいて、ＤＳＰ処理エンジンから出力することもできる。この実施形態のさらなる詳細については、以下で図５に関連して説明する。
【００２７】
ＤＳＰモジュール１０８からのデジタルオーディオ信号は、デジタル・アナログコンバータ（ＤＡＣ）１１０によってアナログオーディオ信号に変換することができる。いくつかの実施形態では、オーディオアナログ信号処理モジュール１１２が、システム１００から出力される前にアナログオーディオ信号をさらに処理することができる。オーディオアナログ処理モジュール１１２は、例えば、オーディオバンドフィルタ、信号電力増幅、及び／又はその他のタイプのアナログ処理を行うことができる。アナログオーディオ信号は、例えば２つの別個のＸＬＲコネクタ出力上で、又は他の好適なタイプの出力上で出力することができる。
【００２８】
システム１００は、合成デジタルオーディオ信号、ＤＣ電力信号及びデータ信号を同時に搬送するように適合されたケーブルに接続するように構成されたインターフェイスモジュール１１４を含むこともできる。このケーブルは、システム１００を、ゲートウェイ相互接続装置又は無線アクセスポイントなどの外部エンティティとネットワーク接続することができる。システム１００は、合成デジタルオーディオ信号をケーブル上で送信し、外部エンティティからＤＣ電力信号を受け取り、外部エンティティとの間でデータ信号を送受信することができる。このケーブルは、例えば、システム１００のＲＪ４５ポートに接続するためのＲＪ４５コネクタを含む、カテゴリ５アンシールドツイストペアケーブルとすることができる。上述したように、オーディオ信号は、ＡＥＳ３規格に従うことができる。データ信号は、双方向シリアルデータ通信のためのＥＩＡ−４８５規格に従うことができ、コマンド、状態、及び／又は、例えばモニタリング及び制御目的でシステム１００と外部エンティティとの間で送受信されるその他の情報を含むことができる。データ信号内の情報は、様々な装置の制御及び管理のためのプロトコルを規定する米国規格協会（ＡＮＳＩ）によって維持されるＡＮＳＩ  Ｅ１．１７  ２００６アーキテクチャ・フォー・コントロール・ネットワーク（ＡＣＮ）規格に従うことができる。ＤＣ電力信号は、パワー・オーバ・イーサネット（登録商標）（ＰｏＥ）規格の側面に基づくことができ、インターフェイスモジュール１１４は、このＤＣ電力信号を、モジュール１０４、ＡＤＣ１０６、ＤＳＰモジュール１０８、ＤＡＣ１１０、及び／又はオーディオアナログ信号処理モジュール１１２に供給することができる。システム１００を含むことができるポータブルオーディオネットワーキングシステムの実施形態は、「ポータブルオーディオネットワーキングシステム（Ｐｏｒｔａｂｌｅ  Ａｕｄｉｏ  Ｎｅｔｗｏｒｋｉｎｇ  Ｓｙｓｔｅｍ）」という名称の、同一出願人による同時出願された特許出願（代理人整理番号２５０８７．０４ＵＳ１）に開示されており、この特許出願はその全体が引用により本明細書に組み入れられる。
【００２９】
いくつかの実施形態では、システム１００を、バッグ型受信機又はスロット型受信機として構成することができる。システム１００を収容するハウジングは、ＩＰ３液体侵入保護定格などを有する耐久性及び耐水性のある金属で構成することができる。実施形態では、システム１００が、様々な情報を表示するための１２８×６４画素のドットマトリクスディスプレイ、フルオーディオメータ、及び記録インジケータを含むことができる。システム１００は、構成オプションの制御及び設定のための制御スイッチ及び／又はボタンを含むこともできる。ダイバーシティアンテナ１０２は、ホイップアンテナ又はその他の好適なタイプのアンテナとすることができ、ＳＭＡ（ＳｕｂＭｉｎｉａｔｕｒｅバージョンＡ）同軸コネクタ又はその他の好適なコネクタを介して接続することができる。
【００３０】
システム１００は、内部充電式リチウムイオンバッテリ、アルカリバッテリによって、及び／又はインターフェイスモジュール１１４に接続された上述のようなケーブルを介して給電することができる。システム１００は、システム１００のファームウェアの更新、システム１００との間のファイル転送、内部バッテリの再充電、及び／又はその他の機能のためのユニバーサルシリアルバス（ＵＳＢ）コネクタを含むことができる。いくつかの実施形態では、システム１００が、２４ビットの２チャネルＷＡＶファイル又はその他の好適なファイルタイプなどの形でオーディオ信号をフラッシュメモリに記録することができる。システム１００は、スロット型受信機として構成された場合、ビデオカメラに挿入することができ、特定のビデオカメラとの同期互換性のためのワードクロック入力を含むことができる。
【００３１】
図２は、図１の無線オーディオ受信機システム１００のＲＦアナログ信号処理モジュール１０４のブロック図である。モジュール１０４は、ダイバーシティアンテナ１０２からＲＦ信号を受け取り、このＲＦ信号に基づいてパスバンド変調信号を生成することができる。具体的には、低ノイズ増幅器２０２が、ダイバーシティアンテナ１０２からＲＦ信号を受け取って増幅ＲＦ信号を生成することができる。低ノイズ増幅器２０２は、たとえＲＦ信号が比較的弱い場合でも、ＲＦ信号に低ノイズ利得を与えることができる。バンドパスフィルタ２０４は、この増幅ＲＦ信号を受け取り、ＲＦ信号の適切な周波数帯域が選択されるように濾波した増幅ＲＦ信号を生成することができる。例えば、バンドパスフィルタ２０４は、２４ＭＨｚ〜６４ＭＨｚの信号帯域、及び／又はその他の信号帯域範囲を通すことができる。
【００３２】
アンテナルーティングモジュール２０６は、ＤＳＰモジュール１０８内のアンテナ切り換えアルゴリズムによって生成されたアンテナ選択信号を利用し、このアンテナ切り換えアルゴリズムに基づいて第１のＲＦ信号処理経路と第２のＲＦ信号処理経路の間でアンテナを切り換え、第１及び第２の濾波増幅ＲＦ信号をルーティングすることができる。濾波増幅ＲＦ信号は、システム１００がフルダイバーシティモードであるか、それともスイッチトダイバーシティモードであるかに応じて切り換えることができる。図３に示すように、アンテナルーティングモジュール２０６は、ＲＦスプリッタ３０２及びＲＦスイッチ３０４を含むことができる。ＲＦスプリッタ３０２は、濾波増幅ＲＦ信号を、ＲＦスイッチ３０４の各々にルーティングされる２つの同じ信号に分割することができる。従って、システム１００がスイッチトダイバーシティモードである場合、ＲＦスイッチ３０４、及びモジュール１０４の一方の信号処理経路内の下流のコンポーネントは、一方の濾波増幅ＲＦ信号を処理し、ＲＦスイッチ３０４、及びモジュール１０４の他方の信号処理経路内の下流のコンポーネントは、他方の濾波増幅ＲＦ信号を処理する。フルダイバーシティモードである場合、濾波増幅ＲＦ信号は、その信号処理経路から切り換えられない。ＲＦスイッチ３０４の実施形態は、同一出願人による米国特許第６，２９６，５６５号及び第６，８７１，０５４号に記載されており、これらの特許はその全体が引用により本明細書に組み入れられる。
【００３３】
再び図２を参照すると、アンテナルーティングモジュール２０６からの濾波増幅ＲＦ信号は、波長可変イメージ除去フィルタ２０８を用いてさらに濾波してイメージ除去ＲＦ信号を生成することができる。イメージ除去フィルタ２０８は、特定のイメージ周波数の濾波増幅ＲＦ信号を減衰させることができる。具体的には、（後述する）ミキサ２１２に対して複数の信号が存在する時に混合生成物が生じることがあるので、ミキサ２１２を利用する前には、イメージ除去フィルタ２０８を利用して信号をできるだけ帯域制限することが望ましい。例えば、イメージ周波数は、イメージ除去フィルタ２０８を用いて濾波することができる一次混合生成物である。イメージ除去フィルタ２０８は、可変コンデンサであるバラクタダイオード、又はＰＩＮダイオードを用いて、例えば無効分の切り換えを行うように同調させることができる。
【００３４】
イメージ除去ＲＦ信号は、ＤＳＰモジュール１０８から受け取ったＡＧＣ信号に基づいて自動利得制御を可能にする可変減衰器２１０によって受け取ることができる。このＡＧＣ信号は、可変減衰器２１０が必要に応じて濾波増幅ＲＦ信号の利得を調整できるようにすることができる。例えば、可変減衰器２１０は、ＡＤＣ１０６などの、システム１００の特定のアナログ信号処理コンポーネントがシステム１００のフルダイナミックレンジをカバーできないという理由で濾波増幅ＲＦ信号の利得を調整することができる。
【００３５】
ミキサ２１２は、可変減衰器２１０からの減衰されたイメージ除去ＲＦ信号を周波数変換して、中間周波数（ＩＦ）信号を生成することができる。ミキサ２１２は、減衰されたイメージ除去ＲＦ信号の周波数を、例えば２４６ＭＨｚのＩＦにシフトさせることができる。減衰されたイメージ除去ＲＦ信号の周波数をＩＦ信号にシフトさせるには、ローカル発振器（図示せず）からの適当な周波数の信号をミキサ２１２に適用することができる。このＩＦ信号を、ＩＦフィルタ２１４、ＩＦ増幅器２１６、ＩＦフィルタ２１８及びＩＦ増幅器２２０が処理して、最終的にＩＦ信号からパスバンド変調信号を生成することができる。ＩＦフィルタ２１４、２１８は、パスバンド変調信号がＡＤＣ１０６に送信される前に、隣接チャネル除去及びアンチエイリアス除去を行うことができる。ＩＦ増幅器２１６、２２０は、パスバンド変調信号がＡＤＣ１０６を本格的な範囲で駆動するのに必要な利得を与えることができる。いくつかの実施形態では、ＩＦフィルタ２１４、２１８を、２４６ＭＨｚのＩＦに同調された狭帯域弾性表面波（ＳＡＷ）フィルタとすることができる。
【００３６】
図４は、図１の無線オーディオ受信機システム１００のデジタル信号処理モジュール４００の実施形態のブロック図である。ＤＳＰモジュール４００は、例えばシステム１００内に示すＤＳＰモジュール１０８の一方又は両方に対応することができる。ＤＳＰモジュール４００は、特定の変調方式を用いて変調された信号を各々が復調するように適合された並列な復調モジュール４０４を含むことができる。ＤＳＰモジュール４００のデジタルダウンコンバータ４０２は、ＡＤＣ１０６からデジタルパスバンド変調信号を受け取ることができる。デジタルダウンコンバータ４０２は、デジタルパスバンド変調信号から、同相（Ｉ）信号、直交（Ｑ）信号、及びＡＧＣ信号を生成することができる。Ｉ信号及びＱ信号は、デジタルパスバンド変調信号を低サンプリングレートに縮小する、ゼロ周波数を中心とするベースバンド複素信号とすることができる。
【００３７】
低サンプリングレートは、ＤＳＰモジュール４００内のデジタルロジックを効率的に利用するために望ましい。例えば、実信号が２００ｋＨｚの帯域幅を有する場合、ＡＤＣの最小サンプリングレートは、毎秒４００キロサンプル（ＫＳＰＳ）になる。しかしながら、上述したように、ＡＤＣ１０６は、アナログ処理中に解像度を高めてノイズを低減する目的で、アナログパスバンド変調信号を６４ＭＳＰＳでサンプリングすることができる。従って、サンプリングレートをその帯域幅に対して低下させることにより、ＤＳＰモジュール４００によるデジタル信号の復調を容易にすることができる。
【００３８】
ＤＳＰモジュール４００内の各復調モジュール４０４は、デジタルダウンコンバータ４０２によって送信されたＩ信号及びＱ信号の復調を行うことができる。復調モジュール４０４の各々は、マルチプレクサユニット４０６に送信する復調信号を生成することができる。マルチプレクサユニット４０６は、適当な復調モジュール４０４から、ＲＦ信号を変調した変調方式に特有の復調信号を選択することができる。例えば、処理中のＲＦ信号が、デジタル８ＰＳＫ変調を用いて変調されたオーディオ信号を含む場合、マルチプレクサユニット４０６は、デジタル８ＰＳＫ復調モジュール４０４からの復調信号のみを選択する。復調モジュール４０４は、アンテナ切り換えアルゴリズムに基づいてアンテナ選択信号を生成することもできる。復調モジュール４０４は、デジタルダウンコンバータ４０２によって受け取られる周波数オフセット訂正信号を生成することもできる。この周波数オフセット訂正信号を利用して、デジタルダウンコンバータ４０２を、受け取ったＲＦ信号の周波数に正確に同調させることができる。周波数オフセット訂正信号は、送信されたＲＦ信号、ローカル発振器及び／又はサンプルクロックのわずかな周波数エラーに対処するために必要となり得る。
【００３９】
マルチプレクサユニット４０６のための選択信号として、上述したようなＲＦ信号の変調タイプ及びダイバーシティ構成を示すユーザ設定に基づくチャネル選択信号を利用することもできる。マルチプレクサユニット４０６は、適当な復調モジュール４０４から、ＲＦ信号を変調した変調方式に特有のアンテナ選択信号及び周波数オフセット訂正信号を選択することができる。オーディオバックエンド４０８及びサンプルレートコンバータ４１０は、復調信号をさらに処理し、ＤＡＣ１１０によって受け取ることができるデジタルオーディオ信号を生成することができる。オーディオバックエンド４０８は、例えば、フィルタ処理、利得、調量及び／又は信号制限などの機能を含むことができる。サンプルレートコンバータ４１０は、ＡＤＣ１０６をサンプリングするサンプルクロックと、ＤＡＣ１１０をサンプリングするサンプルクロックとの差分を調整するために利用することができる。これらのサンプルクロックは、互いに対して若干の周波数エラーを有することができる異なる発振器を用いて生成することができる。
【００４０】
フルダイバーシティモードの場合、複数のＤＳＰモジュールからのデジタルパスバンド変調信号から単一のデジタルオーディオ信号を生成することができる。例えば、ＤＳＰモジュールは、ダイバーシティアンテナにおいて受け取られるＲＦ信号のダイバーシティ効果を考慮してデジタルオーディオ信号を合成し、加算し、及び／又は別様に処理して単一のデジタルオーディオ信号を生成することができる。いくつかの実施形態では、ＤＳＰモジュールが、ダイバーシティ効果を考慮するように、例えば復調前にデジタルパスバンド変調信号を処理することができる。
【００４１】
図５は、図１の無線オーディオ受信機システム１００のデジタル信号処理モジュール５００の別の実施形態のブロック図である。ＤＳＰモジュール５００は、例えばシステム１００内に示すＤＳＰモジュール１０８の一方又は両方に対応することができる。ＤＳＰモジュール５００は、メモリ５０６に記憶されているオペコードファイルのコマンドに従って信号を復調するように適合されたＤＳＰ処理エンジン５０４を含むことができる。各オペコードファイルは、特定の変調方式を用いて変調された信号の復調に固有のものとすることができる。デジタルダウンコンバータ５０２は、ＡＤＣ１０６からデジタルパスバンド変調信号を受け取ることができる。デジタルダウンコンバータ４０２は、デジタルパスバンド変調信号から、同相（Ｉ）信号、直交（Ｑ）信号、及びＡＧＣ信号を生成することができる。上述したように、Ｉ信号及びＱ信号は、デジタルパスバンド変調信号を低サンプリングレートに縮小する、ゼロ周波数を中心とするベースバンド複素信号とすることができる。
【００４２】
ＤＳＰ処理エンジン５０４は、デジタルダウンコンバータ５０２によって送信されたＩ信号及びＱ信号の復調を行うことができる。ＤＳＰ処理エンジン５０４によってメモリ５０６から読み出されるオペコードファイルは、ＲＦ信号の復調に固有のコマンドが利用されるようにチャネル選択信号に基づいて選択することができる。メモリ５０６は、不揮発性リードオンリメモリ、ランダムアクセスメモリ、及び／又はその他の好適なタイプのメモリとすることができる。上述したように、チャネル選択信号は、ＲＦ信号の変調タイプ及びダイバーシティ構成を示すユーザ設定に基づくことができる。ＤＳＰ処理エンジン５０４は、アンテナ切り換えアルゴリズムに基づいてアンテナ選択信号を生成することもできる。ＤＳＰ処理エンジン５０４は、デジタルダウンコンバータ５０２によって受け取られる周波数オフセット訂正信号を生成することもできる。オーディオバックエンド４０８及びサンプルレートコンバータ４１０は、上述したように、復調信号をさらに処理し、ＤＡＣ１１０によって受け取ることができるデジタルオーディオ信号を生成することができる。
【００４３】
フルダイバーシティモードの場合、複数のＤＳＰモジュールからのデジタルパスバンド変調信号から単一のデジタルオーディオ信号を生成することができる。例えば、ＤＳＰモジュールは、ダイバーシティアンテナにおいて受け取られるＲＦ信号のダイバーシティ効果を考慮してデジタルオーディオ信号を合成し、加算し、及び／又は別様に処理して単一のデジタルオーディオ信号を生成することができる。いくつかの実施形態では、ＤＳＰモジュールが、ダイバーシティ効果を考慮するように、例えば復調前にデジタルパスバンド変調信号を処理することができる。
【００４４】
図６に、ＲＦ信号を無線で受け取る処理６００の実施形態を示す。ＲＦ信号は、アナログ及び／又はデジタル変調方式によって変調されたオーディオ信号を含むことができ、処理６００は、例えば無線オーディオ受信機システム１００内でＲＦ信号を復調し、このＲＦ信号からアナログオーディオ信号及び／又は合成デジタルオーディオ信号を生成するように動作することができる。処理６００は、（１つのＲＦ信号を受け取るための）フルダイバーシティモード、又は（２つの異なるＲＦ信号を受け取るための）スイッチトダイバーシティモードで動作することができる。処理６００は、様々な変調方式を用いて変調されたオーディオ信号を復調するために、並列な信号処理経路を通じてＲＦ信号をフレキシブルにルーティングすることができる。さらに、処理６００では、より多様な変調タイプを用いて変調された信号を復調できるように、ＲＦ信号から生じたアナログパスバンド変調信号をデジタル化することができる。処理６００は、ＲＦ信号のデジタル版を復調するための再構成可能なコンピューティングコンポーネントを利用することもできる。
【００４５】
ステップ６０２において、１又はそれ以上のダイバーシティアンテナにおいて１又はそれ以上のＲＦ信号を受け取ることができる。ＲＦ信号は、例えば製作物の音を取り込んだ無線オーディオ送信機及び／又はマイクから送信することができる。複数のダイバーシティアンテナは、ＲＦ信号のマルチパス伝搬の影響を最小限に抑えるのに役立つことができる。ＲＦ信号の各々は、アナログ変調方式及び／又はデジタル変調方式を用いて変調された変調オーディオ信号を含むことができる。アナログ変調方式は、振幅変調、周波数変調、位相変調、専用アナログ変調、及び／又はその他の方式を含むことができる。デジタル変調方式は、位相シフトキーイング、周波数シフトキーイング、振幅シフトキーイング、直交振幅変調、専用デジタル変調、及び／又はその他の方式を含むことができる。
【００４６】
ステップ６０４において、ＲＦ信号の変調タイプと、無線オーディオ受信機システムがフルダイバーシティモードであるか、それともスイッチトダイバーシティモードであるかを示すユーザ設定を受け取ることができる。いくつかの実施形態では、ユーザ設定が、受け取られるＲＦ信号の数を示すことができ、この信号数から間接的にモード（フルダイバーシティ又はスイッチトダイバーシティ）を設定することができる。ユーザ設定は、例えばユーザが様々な構成設定を設定できるように提供される構成メニューを介して設定することができる。いくつかの実施形態では、ＲＦ信号の変調タイプを自動的に感知することができる。他の実施形態では、コンポーネント間で同じ周波数が調整されて、変調タイプ及びＲＦ信号の数が設定されるように、無線オーディオ受信機システムと対応する無線オーディオ送信機とを同期させることができる。無線オーディオ受信機システムは、スイッチトダイバーシティモードの場合、各ダイバーシティアンテナが２つのＲＦ信号を受信できるようにデュアル受信機として構成することができる。両ダイバーシティアンテナは、これらのＲＦ信号の各々を受信することができるが、いずれの時点でも一方のダイバーシティアンテナのみが特定の信号処理経路に接続される。ダイバーシティアンテナの切り換えは、ＲＦ信号のダイバーシティ受信を最適化するアンテナ切り換えアルゴリズムによって制御することができる。無線オーディオ受信機システムは、フルダイバーシティモードの場合、１つのＲＦ信号が両ダイバーシティアンテナによって受け取られるようにシングル受信機として構成することができる。
【００４７】
ステップ６０６において、ユーザ設定が、無線オーディオ受信機システムがフルダイバーシティモードであることを示しているか、それともスイッチトダイバーシティモードであることを示しているかを判定することができる。無線オーディオ受信機システムがフルダイバーシティモードである場合、処理６００はステップ６０８に進み、受け取った１つのＲＦ信号に基づいて２つのパスバンド変調信号を生成することができる。ステップ６０８において、この１つのＲＦ信号を、ＲＦアナログ信号処理モジュール内などの第１のＲＦ信号処理経路にルーティングすることができる。ステップ６１０において、１つのＲＦ信号に基づいて第１のパスバンド変調信号を生成することができる。ステップ６１２において、１つのＲＦ信号を、ＲＦアナログ信号処理モジュール内などの第２のＲＦ信号処理経路にルーティングすることができる。ステップ６１４において、１つのＲＦ信号に基づいて第２のパスバンド変調信号を生成することができる。パスバンド変調信号を生成するためのステップ６１０及び６１４の実施形態については、以下で図７Ａ〜図７Ｂに関連して説明する。ステップ６１６において、第１のパスバンド変調信号をパスバンドサンプリングすることによって第１のデジタルパスバンド変調信号を生成することができる。ステップ６１８において、第２のパスバンド変調信号をパスバンドサンプリングすることによって第２のデジタルパスバンド変調信号を生成することができる。例えば、それぞれのパスバンド変調信号は、ＡＤＣによってパスバンドサンプリングしてデジタル化することができる。
【００４８】
一方、ステップ６０６において、無線オーディオ受信機システムがスイッチトダイバーシティモードであると判定された場合、処理６００はステップ６２０に進み、受け取った２つのＲＦ信号に基づいて２つのパスバンド変調信号を生成することができる。ステップ６２０において、アンテナ切り換えアルゴリズムに基づいて、第１のＲＦ信号処理経路と第２のＲＦ信号処理経路の間でアンテナを切り換えて第１及び第２のＲＦ信号をルーティングすることができる。具体的には、両アンテナは、これらのＲＦ信号の各々を受信することができるが、いずれの時点でも一方のダイバーシティアンテナのみが特定の信号処理経路に接続される。例えば、第１のＲＦ信号を（第１のアンテナで受信されたか、それとも第２のアンテナで受信されたかに関わらず）常に第１のＲＦ信号処理経路にルーティングし、第２のＲＦ信号を（第１のアンテナで受信されたか、それとも第２のアンテナで受信されたかに関わらず）常に第２のＲＦ信号処理経路にルーティングすることができる。ステップ６２２において、受け取った第１のＲＦ信号に基づいて第３のパスバンド変調信号を生成することができ、ステップ６２４において、受け取った第２のＲＦ信号に基づいて第４のパスバンド変調信号を生成することができる。ＲＦ信号を切り換えてパスバンド変調信号を生成するためのステップ６２０、６２２及び６２４の実施形態については、以下で図７Ａ〜図７Ｂに関連して説明する。ステップ６２６において、第３のパスバンド変調信号をパスバンドサンプリングすることによって第１のデジタルパスバンド変調信号を生成することができる。ステップ６２８において、第４のパスバンド変調信号をパスバンドサンプリングすることによって第２のデジタルパスバンド変調信号を生成することができる。それぞれのパスバンド変調信号は、例えばＡＤＣによってパスバンドサンプリングしてデジタル化することができる。
【００４９】
処理６００は、第１及び第２のデジタルパスバンド変調信号の生成後にステップ６３０に進むことができる。ステップ６３０において、第１のデジタルパスバンド変調信号を復調して第１のデジタルオーディオ信号を生成することができる。ステップ６３２において、第２のデジタルパスバンド変調信号を復調して第２のデジタルオーディオ信号を生成することができる。フルダイバーシティモードの場合、第１及び第２のデジタルパスバンド変調信号から単一のデジタルオーディオ信号を生成することができる。例えば、ＤＳＰモジュールは、ダイバーシティアンテナにおいて受け取られるＲＦ信号のダイバーシティ効果を考慮してデジタルオーディオ信号を合成し、加算し、及び／又は別様に処理して単一のデジタルオーディオ信号を生成することができる。いくつかの実施形態では、ＤＳＰモジュールが、ダイバーシティ効果を考慮するように、例えば復調前にデジタルパスバンド変調信号を処理することができる。
【００５０】
ステップ６３４において、２つのチャネルなどの第１及び第２のデジタルオーディオ信号から成る合成デジタルオーディオ信号を生成することができる。この合成デジタルオーディオ信号は、例えばＡＥＳ３規格に従うことができる。（受け取ったＲＦ信号が１つである）フルダイバーシティモードの場合、この合成デジタルオーディオ信号は、１チャネルなどの１つのデジタルオーディオ信号のみで構成することができる。例えばステップ６３０及び６３２はＤＳＰモジュールによって実行することができ、例えばステップ６３４はインターフェイスモジュールによって実行することができる。ステップ６３０及び６３２の実施形態については、以下で図８Ａ〜図８Ｂ及び図９Ａ〜図９Ｂに関連して説明する。ステップ６３６において、第１のデジタルオーディオ信号から第１のアナログオーディオ信号を生成することができ、ステップ６３８において、第２のデジタルオーディオ信号から第２のアナログオーディオ信号を生成することができる。それぞれのアナログオーディオ信号は、例えばＤＡＣによって生成することができる。
【００５１】
図７Ａ〜図７Ｂに、図６の処理６００に関連して、受け取ったＲＦ信号からパスバンド変調信号を生成する処理７００の実施形態を示す。処理７００は、上述したステップ６１０、６１４、６２０、６２２及び６２４の実施形態を含むことができる。上述したように、無線オーディオ受信機は、１つのＲＦ信号を受け取る時にはフルダイバーシティモードで動作し、或いは２つのＲＦ信号を受け取る時にはスイッチトダイバーシティモードで動作することができる。処理７００のブロック７０２は、フルダイバーシティモードでは１つのＲＦ信号に基づいて第１のパスバンド変調信号を生成し、或いはスイッチトダイバーシティモードでは第１のＲＦ信号に基づいて第３のパスバンド変調信号を生成する、処理６００のステップ６１０又は６２２に対応することができる。同様に、処理７００のブロック７５２は、フルダイバーシティモードでは１つのＲＦ信号に基づいて第２のパスバンド変調信号を生成し、或いはスイッチトダイバーシティモードでは第２のＲＦ信号に基づいて第４のパスバンド変調信号を生成する、処理６００のステップ６１４又は６２４に対応することができる。ブロック７０２及び７５２は、第１及び第２の並列なＲＦ信号処理経路によって行われるステップをそれぞれ含むことができる。
【００５２】
ブロック７０２では、ステップ７０４において、フルダイバーシティモードの場合には１つのＲＦ信号から、或いはスイッチトダイバーシティモードの場合には第１のＲＦ信号から、第１の増幅ＲＦ信号を生成することができる。例えば、第１の増幅ＲＦ信号は、低ノイズ増幅器によって生成することができる。ステップ７０６において、第１の増幅ＲＦ信号から第１の濾波増幅ＲＦ信号を生成することができる。例えば、第１の濾波増幅ＲＦ信号は、バンドパスフィルタによって生成することができる。ステップ７０８において、ＲＦスプリッタなどによって第１の濾波増幅ＲＦ信号を第１の複数の同じ信号に分割することができる。同様に、ブロック７５２では、ステップ７５４において、フルダイバーシティモードの場合には１つのＲＦ信号から、或いはスイッチトダイバーシティモードの場合には第２のＲＦ信号から、第２の増幅ＲＦ信号を生成することができる。例えば、第２の増幅ＲＦ信号は、低ノイズ増幅器によって生成することができる。ステップ７５６において、第２の増幅ＲＦ信号から第２の濾波増幅ＲＦ信号を生成することができる。例えば、第２の濾波増幅ＲＦ信号は、バンドパスフィルタによって生成することができる。ステップ７５８において、ＲＦスプリッタなどによって第２の濾波増幅ＲＦ信号を第２の複数の同じ信号に分割することができる。
【００５３】
ステップ７１０において、無線オーディオ受信機がスイッチトダイバーシティモードである場合、処理７００はステップ７１２に進むことができる。ステップ７１２において、例えば第１のＲＦ信号処理経路内のＲＦスイッチが、ステップ７０８で生成された第１の複数の同じＲＦ信号のうちの１つの信号と、ステップ７５８で生成された第２の複数の同じＲＦ信号のうちの１つの信号とを切り換えることができる。ステップ７１２における切り替えは、アンテナ切り換えアルゴリズム及び第１のアンテナ選択信号に基づくことができる。例えば、ステップ７１４において、第２のＲＦ信号処理経路内のＲＦスイッチが、ステップ７０８で生成された第１の複数の同じＲＦ信号のうちの別の信号と、ステップ７５８で生成された第２の複数の同じＲＦ信号のうちの別の信号とを切り換えることができる。ステップ７１４における切り替えも、アンテナ切り換えアルゴリズム及び第２のアンテナ選択信号に基づくことができる。処理７００は、受け取ったＲＦ信号を知的に切り換えることにより、スイッチトダイバーシティモード時に、両ダイバーシティアンテナにおけるＲＦ信号の受信を利用することができる。ステップ７１４の後、又はステップ７１０において無線オーディオ受信機がフルダイバーシティモードであった場合、処理７００は、ページ外の参照Ａによって示すように図７Ｂに進むことができる。
【００５４】
図７Ｂに示すように、処理７００は濾波増幅ＲＦ信号を生成した後にページ外の参照Ａから続くことができる。図７Ｂでは、ブロック７０２及び７０４が、引き続き第１及び第２の並列なＲＦ信号処理経路によって行われるステップをそれぞれ示す。ステップ７１６において、濾波増幅ＲＦ信号から第１のイメージ除去ＲＦ信号を生成することができる。同時に、ステップ７６０において、濾波増幅ＲＦ信号から第２のイメージ除去ＲＦ信号を生成することができる。イメージ除去ＲＦ信号は、例えば波長可変イメージ除去フィルタによって生成することができる。ステップ７１８において、第１のＡＧＣ信号に基づいて第１の減衰されたイメージ除去ＲＦ信号を生成することができ、同時にステップ７６２において、第２のＡＧＣ信号に基づいて第２の減衰されたイメージ除去ＲＦ信号を生成することができる。減衰されたイメージ除去ＲＦ信号は、可変減衰器によって生成することができ、ＡＧＣ信号は、例えばＤＳＰモジュールから生成することができる。
【００５５】
ステップ７２０において、第１の減衰されたイメージ除去ＲＦ信号を第１のＩＦ信号に周波数変換することができ、同時にステップ７６４において、第２の減衰されたイメージ除去ＲＦ信号を第２のＩＦ信号に周波数変換することができる。例えば、減衰されたイメージ除去ＲＦ信号は、ミキサによってＩＦ信号に周波数変換することができる。ステップ７２２において、第１のＩＦ信号を用いて、第１のＩＦ信号から第１の濾波ＩＦ信号を生成することができ、同時にステップ７６６において、第２のＩＦ信号を用いて、第２のＩＦ信号から第２の濾波ＩＦ信号を生成することができる。ステップ７２４において、無線オーディオ受信機がフルダイバーシティモードである場合、処理７００はステップ７２６に進むことができる。ステップ７２６において、ステップ７２２で生成された第１の濾波ＩＦ信号から第１のパスバンド変調信号を生成することができ、ステップ７６６で生成された第２の濾波ＩＦ信号から第２のパスバンド変調信号を生成することができる。一方、ステップ７２４において無線オーディオ受信機がスイッチトダイバーシティモードである場合、処理７００はステップ７２８に進むことができる。ステップ７２８において、ステップ７２２で生成された第１の濾波ＩＦ信号から第３のパスバンド変調信号を生成することができ、ステップ７６６で生成された第２の濾波ＩＦ信号から第４のパスバンド変調信号を生成することができる。例えば、濾波ＩＦ信号及びパスバンド変調信号は、狭帯域ＳＡＷフィルタなどのＩＦフィルタ及びＩＦ増幅器を用いて生成することができる。
【００５６】
図８Ａ〜図８Ｂに、図６の処理６００に関連して、デジタルパスバンド変調信号を復調してデジタルオーディオ信号を生成する処理８００及び８５０の実施形態を示す。図８Ａ及び図８Ｂの処理は、例えばＤＳＰモジュール内で行うことができ、並行して行われるステップを含むことができる。これらの実施形態では、複数の復調モジュールの各々が、特定のアナログ及び／又はデジタル変調方式を用いて変調された信号の復調に固有の回路を含むことができる。図８Ａに示す処理８００は、処理６００のステップ６３０に対応することができる。ステップ８０２において、第１のデジタルパスバンド変調信号から第１の同相（Ｉ）信号、第１の直交（Ｑ）信号及び第１のＡＧＣ信号を生成することができる。第１のデジタルパスバンド変調信号は、例えばＡＤＣによって生成することができる。いくつかの実施形態では、第１のＩ信号、第１のＱ信号及び第１のＡＧＣ信号の生成をデジタルダウンコンバータによって行うことができる。Ｉ信号及びＱ信号は、デジタルパスバンド変調信号を低サンプリングレートに縮小する、ゼロ周波数を中心とするベースバンド複素信号とすることができる。
【００５７】
ステップ８０４において、ＲＦ信号の変調タイプに基づいて第１のＩ信号及び第１のＱ信号を第１の復調信号に復調することができる。各復調モジュールは、第１のＩ信号及び第１のＱ信号を復調しようと試みることができるが、ステップ８０６において、適当な復調モジュールの第１の復調信号から第１のデジタルオーディオ信号を出力することができる。ステップ８０６では、第１の復調信号に基づいて第１のアンテナ選択信号を生成することもできる。例えば、ステップ８０６では、適当な復調モジュールから復調信号及び第１のアンテナ選択信号を選択するマルチプレクサユニットへの選択信号として、ＲＦ信号の変調タイプを使用することができる。
【００５８】
図８Ｂに示す処理８５０は、処理６００のステップ６３２に対応することができる。ステップ８５２において、第２のデジタルパスバンド変調信号から第２の同相（Ｉ）信号、第２の直交（Ｑ）信号及び第２のＡＧＣ信号を生成することができる。第２のデジタルパスバンド変調信号は、例えばＡＤＣによって生成することができる。いくつかの実施形態では、第２のＩ信号、第２のＱ信号及び第２のＡＧＣ信号の生成をデジタルダウンコンバータによって行うことができる。ステップ８５４において無線オーディオ受信機がフルダイバーシティモードである場合、ステップ８５６において、第１のＲＦ信号の変調タイプに基づいて、第２のＩ信号及び第２のＱ信号を第２の復調信号に復調することができる。一方、ステップ８５４において無線オーディオ受信機がスイッチトダイバーシティモードである場合、ステップ８５８において、第２のＲＦ信号の変調タイプに基づいて、第２のＩ信号及び第２のＱ信号を第２の復調信号に復調することができる。図８Ａに関連して上述したように、複数の復調モジュールは、Ｉ信号及びＱ信号を復調するための変調固有の回路を含むことができる。ステップ８６０において、適当な復調モジュールの第２の復調信号から第２のデジタルオーディオ信号を出力することができ、また第２のアンテナ選択信号を生成することもできる。
【００５９】
フルダイバーシティモードの場合、第１及び第２のデジタルパスバンド変調信号から単一のデジタルオーディオ信号を生成することができる。例えば、このデジタルオーディオ信号を、ダイバーシティアンテナにおいて受け取っているＲＦ信号のダイバーシティ効果を考慮して合成し、加算し、及び／又は別様に処理して単一のデジタルオーディオ信号を生成することができる。いくつかの実施形態では、ダイバーシティ効果を考慮するように、例えば復調前にデジタルパスバンド変調信号を処理することができる。このようにして、第１及び／又は第２の復調信号に基づく、及び／又は第１及び／又は第２のＩ信号及びＱ信号に基づく１つのデジタルオーディオ信号を生成することができる。
【００６０】
図９Ａ〜図９Ｂに、図６の処理６００に関連して、デジタルパスバンド変調信号を復調してデジタルオーディオ信号を生成する処理９００及び９５０の他の実施形態を示す。図９Ａ及び図９Ｂの処理は、例えばＤＳＰモジュール内で行うことができ、並行して行われるステップを含むことができる。これらの実施形態では、ＤＳＰ処理エンジンを利用して、メモリに記憶されているオペコードファイルのコマンドに従って信号を復調することができる。このオペコードファイルの各々は、特定の変調方式を用いて変調された信号の復調に固有のものとすることができる。図９Ａに示す処理９００は、処理６００のステップ６３０に対応することができる。
【００６１】
ステップ９０２において、第１のデジタルパスバンド変調信号から第１の同相（Ｉ）信号、第１の直交（Ｑ）信号、及び第１のＡＧＣ信号を生成することができる。第１のデジタルパスバンド変調信号は、例えばＡＤＣによって生成することができる。いくつかの実施形態では、第１のＩ信号、第１のＱ信号及び第１のＡＧＣ信号の生成をデジタルダウンコンバータによって行うことができる。Ｉ信号及びＱ信号は、デジタルパスバンド変調信号を低サンプリングレートに縮小する、ゼロ周波数を中心とするベースバンド複素信号とすることができる。ステップ９０４において、適当なオペコードファイルのコマンドに従って、第１のＩ信号及び第１のＱ信号を第１のデジタルオーディオ信号に復調することができる。適当なオペコードファイルは、第１のＲＦ信号の変調タイプに基づいてメモリから読み出すことができる。ステップ９０４では、第１のＩ信号及びＱ信号からアンテナ選択信号を生成することもできる。
【００６２】
図９Ｂに示す処理９５０は、処理６００のステップ６３２に対応することができる。ステップ９５２において、第２のデジタルパスバンド変調信号から第２の同相（Ｉ）信号、第２の直交（Ｑ）信号及び第２のＡＧＣ信号を生成することができる。第２のデジタルパスバンド変調信号は、例えばＡＤＣによって生成することができる。いくつかの実施形態では、第２のＩ信号、第２のＱ信号及び第２のＡＧＣ信号の生成をデジタルダウンコンバータによって行うことができる。ステップ９５４において、無線オーディオ受信機がフルダイバーシティモードである場合、ステップ９５６において、適当なオペコードファイルのコマンドに従って、第２のＩ信号及び第２のＱ信号を第２のデジタルオーディオ信号に復調することができる。適当なオペコードファイルは、第１のＲＦ信号の変調タイプに基づいてメモリから読み出すことができる。ステップ９５６では、第１のＩ信号及びＱ信号からアンテナ選択信号を生成することもできる。一方、ステップ９５４において無線オーディオ受信機がスイッチトダイバーシティモードである場合、ステップ９５８において、適当なオペコードファイルのコマンドに従って、第２のＩ信号及び第２のＱ信号を第２のデジタルオーディオ信号に復調することができる。適当なオペコードファイルは、第２のＲＦ信号の変調タイプに基づいてメモリから読み出すことができる。
【００６３】
フルダイバーシティモードの場合、第１及び第２のデジタルパスバンド変調信号から単一のデジタルオーディオ信号を生成することができる。例えば、このデジタルオーディオ信号を、ダイバーシティアンテナにおいて受け取っているＲＦ信号のダイバーシティ効果を考慮して合成し、加算し、及び／又は別様に処理して単一のデジタルオーディオ信号を生成することができる。いくつかの実施形態では、ダイバーシティ効果を考慮するように、例えば復調前にデジタルパスバンド変調信号を処理することができる。このようにして、第１及び／又は第２の復調信号に基づく、及び／又は第１及び／又は第２のＩ信号及びＱ信号に基づく１つのデジタルオーディオ信号を生成することができる。
【００６４】
本開示は、様々な実施形態の形成及び使用方法を技術に従って説明するためのものであり、その真の、意図する、公正な範囲及び思想を限定するものではない。上述の説明は、包括的であること、又は開示した正確な形に限定されることを意図するものではない。上記の教示に照らして修正例及び変形例が可能である。（単複の）実施形態は、説明する技術の原理及びその実施可能な応用を示すとともに、様々な実施形態の技術、及び想定される特定の用途に適した様々な修正例を当業者が利用できるように選択して説明したものである。このような全ての修正例及び変形例は、これらの権利を公正に、法的に、かつ公平に認める外延に従って解釈した場合、本出願の係属中に補正される可能性もある添付の特許請求の範囲によって定められる実施形態及びその全ての同等物の範囲に含まれる。
【符号の説明】
【００６５】
１００  無線オーディオ受信機システム
１０２  ダイバーシティアンテナ
１０４  ＲＦアナログ信号処理モジュール
１０６  アナログ・デジタルコンバータ（ＡＤＣ）
１０８  デジタル信号処理モジュール
１１０  デジタル・アナログコンバータ（ＤＡＣ）
１１２  オーディオアナログ信号処理モジュール
１１４  インターフェイスモジュール
【図１】
2016510968.tif 000003
【図２】
2016510968.tif 000004
【図３】
2016510968.tif 000005
【図４】
2016510968.tif 000006
【図５】
2016510968.tif 000007
【図６】
2016510968.tif 000008
【図７Ａ】
2016510968.tif 000009
【図７Ｂ】
2016510968.tif 000010
【図８Ａ】
2016510968.tif 000011
【図８Ｂ】
2016510968.tif 000012
【図９Ａ】
2016510968.tif 000013
【図９Ｂ】
2016510968.tif 000014
【国際調査報告】
2016510968.tif 000015
2016510968.tif 000016
2016510968.tif 000017